(57)【要約】【課題】追加部品を必要とすることなく、機器取付板を縦フレームの前面よりも奥側にも取付けることができる電気電子機器収納用箱の機器取付板固定金具を提供する。【解決手段】機器取付板１４を固定するための背面取付板部１５と中間取付板部１６とを互いに直交させて垂直に形成し、背面取付板部１５の下端に水平板部１９を形成するとともに、この水平板部の端部から垂直板部２０を垂下させる。垂直板部２０に第１取付孔２１を設け、垂直板部２０に第２取付孔２２を設ける。機器取付板固定金具を回転させることにより、機器取付板１４を中間位置にも、後側の縦フレーム１０の前面よりも奥側にも取付けることができる。【選択図】図８
2014022393.tif 000002
【特許請求の範囲】
【請求項１】
機器取付板を固定するための背面取付板部と中間取付板部とを互いに直交させて垂直に形成し、前記背面取付板部の下端に水平板部を形成するとともに、この水平板部の端部から垂直板部を垂下させ、この垂直板部に第１取付孔を設けたことを特徴とする電気電子機器収納用箱の機器取付板固定金具。
【請求項２】
前記水平板部に第２取付孔を設けたことを特徴とする請求項１記載の電気電子機器収納用箱の機器取付板固定金具。
【発明の詳細な説明】
【技術分野】
【０００１】
本発明は、電気電子機器収納用箱の内部に機器取付板を取付けるための機器取付板固定金具に関するものである。
【背景技術】
【０００２】
電気電子機器収納用箱には、内部に機器を収納するための機器取付板を備えるものがある。この機器取付板には、様々な電子・電気機器が取り付けられる。機器の種類によっては特許文献１に示すように機器取付板が最奥部に取付けられる場合や、奥行方向の中間部に取付けられる場合がある。
【０００３】
機器取付板の取付位置を奥行方向で可変とするためには、機器取付板の両端部を電気電子機器収納用箱の奥行フレームに取付ける構造としておくことが好ましい。このために従来から図１に示すように、取付板部１と奥行フレーム２への固定板部３とを備えた固定金具４が用いられている。機器取付板５は取付板部１に固定され、奥行フレーム２に沿って前後方向の任意の位置に固定可能である。
【０００４】
ところが奥行フレーム２の後端部には後側の縦フレーム６が存在するため、図１に示すように取付板部１を縦フレーム６の前面よりも奥側に位置させることができない。従って、後側の縦フレーム６の前面よりも奥側には、機器取付板５を移動させることができず、この部分のスペースを有効利用することができないという問題があった。なお、この問題を解決するためには専用の固定金具を追加作成すればよいが、部品点数が増加してコストアップを招くこととなる。
【先行技術文献】
【特許文献】
【０００５】
【特許文献１】特開２００２−２７１０７５号公報
【発明の概要】
【発明が解決しようとする課題】
【０００６】
従って本発明の目的は上記した従来の問題点を解決し、機器取付板を奥行フレームに沿って前後方向の任意の位置に取付け可能であり、かつ追加部品を必要とすることなく、機器取付板を後側の縦フレームの前面よりも奥側にも取付けることができる電気電子機器収納用箱の機器取付板固定金具を提供することである。
【課題を解決するための手段】
【０００７】
上記の課題を解決するためになされた本発明の電気電子機器収納用箱の機器取付板固定金具は、機器取付板を固定するための背面取付板部と中間取付板部とを互いに直交させて垂直に形成し、前記背面取付板部の下端に水平板部を形成するとともに、この水平板部の端部から垂直板部を垂下させ、この垂直板部に第１取付孔を設けたことを特徴とするものである。
【０００８】
なお請求項２のように、前記水平板部に第２取付孔を設けた構造とすることができる。
【発明の効果】
【０００９】
本発明の機器取付板固定金具は、中間取付板部を電気電子機器収納用箱の背面板と平行に配置し、水平板部を電気電子機器収納用箱の奥行フレームの上面に載せてボルト等で固定し、中間取付板部の前面に機器取付板を取付けることができる。機器取付板固定金具をこのように使用すれば、機器取付板を後側の縦フレームの前面より手前側の任意の中間位置に取付けることができる。
【００１０】
また本発明の機器取付板固定金具は、水平面内で９０度回転させて背面取付板部を電気電子機器収納用箱の背面板と平行に配置し、水平板部を電気電子機器収納用箱の横フレームの上面に載せてボルト等で固定した状態とすれば、背面取付板部を後側の縦フレームの前面よりも奥側に位置させることができる。この状態で機器取付板を背面取付板部の前面に固定すれば、機器取付板を後側の縦フレームの後面付近にまで後退させることができる。このように同一の機器取付板固定金具により、機器取付板を奥行フレームの前面よりも奥側にも取付けることが可能となる。
【図面の簡単な説明】
【００１１】
【図１】従来の問題点を示す平面図である。
【図２】電気電子機器収納用箱の斜視図である。
【図３】機器取付板固定金具を示す斜視図である。
【図４】中間位置への取付け状態を示す斜視図である。
【図５】中間位置への機器取付板の取付け状態を示す斜視図である。
【図６】図５の背面斜視図である。
【図７】最奥位置への取付け状態を示す斜視図である。
【図８】最奥位置への機器取付板の取付け状態を示す斜視図である。
【図９】図８の背面斜視図である。
【発明を実施するための形態】
【００１２】
以下に図面を参照しつつ、本発明の実施形態を説明する。
図２は電気電子機器収納用箱の斜視図であり、この実施形態では、電気電子機器収納用箱は同一断面形状を持つ縦フレーム１０と、横フレーム１１と、奥行フレーム１２とによって外枠を形成したフレーム構造となっている。従来と同様、これらのフレームには一定ピッチの取付孔列１３が形成されている。１４は機器取付板であり、その両端部を本発明の機器取付板固定金具によって支持され、奥行フレーム１２の中間位置に取付けられている。以下にその詳細な構造を説明する。
【００１３】
図３は本発明の実施形態の機器取付板固定金具を示す斜視図である。１５は背面取付板部、１６は中間取付板部である。これらは互いに直交し、かつ垂直に配置される。背面取付板部１５と中間取付板部１６の裏面には、機器取付板１４をねじ固定するためのナット部１７、１８が設けられている。背面取付板部１５の下端には水平板部１９が直角に折り曲げ形成され、さらに水平板部１９の端部から垂直板部２０が垂下形成されている。従って水平板部１９は背面取付板部１５と中間取付板部１６の双方に対して直交し、垂直板部２０は背面取付板部１５と平行である。
【００１４】
この実施形態では、垂直板部２０に第１取付孔２１が形成され、水平板部１９に第２取付孔２２が形成されている。なお、水平板部１９の幅Ｗ（垂直板部２０から背面取付板部１５までの長さ）は、縦フレーム１０の前面から後面までの距離（横フレーム１１の幅）よりやや短くしておくことが好ましい。また、水平板部１９は背面取付板部１５の下端から折り曲げ形成されているが、水平板部１９は中間取付板部１６の下端から折り曲げ形成するようにしてもよく、この場合、垂直板部２０は水平板部１９の側方の端部から垂下することとなる。
【００１５】
図４〜図６に、機器取付板１４を後側の縦フレーム１０の前面より手前側の中間位置に取付けた状態を示す。図４に示すように、機器取付板固定金具はその中間取付板部１６を電気電子機器収納用箱の背面板と平行とし、水平板部１９を奥行フレーム１２の上面に載せて第２取付孔２２を利用してボルト２３で固定される。そして図５に示すように中間取付板部１６のナット部１８を利用して、その前面に機器取付板１４をねじ止めする。なおこの実施形態では奥行フレーム１２と平行にスライドレール２４が配置されており、機器取付板１４の下面を挟んで受ける二股状のスライド部材２５が設けられている。このため機器取付板１４はスライド部材２５と中間取付板部１６とによって確実に支持される。また、機器取付固定金具は垂直板部２０の第１取付孔２１によって奥行フレーム１２に取り付けてもよいが、この実施形態のように、水平板部１９の第２取付孔２２を用いて奥行フレーム１２に取り付けたものでは、機器取付固定金具を奥行フレーム１２に取り付けた後に、機器取付板１４を着脱する際にもボルト２３が邪魔にならないので好ましい。
【００１６】
この状態においては、機器取付板１４を後側の縦フレーム１０の前面より手前側の任意の位置に取付けることができる。しかし中間取付板部１６が後側の縦フレーム１０の前面に当接する位置よりも奥側には、機器取付板１４を取付けることはできない。
【００１７】
機器取付板１４を更に奥に取付けるためには、図７に示すように機器取付板固定金具の背面取付板部１５を電気電子機器収納用箱の背面板と平行とし、水平板部１９を電気電子機器収納用箱の奥側の横フレーム１１の上面に載せる。この実施形態では垂直板部２０の第１取付孔２１を利用して、ボルト２６により横フレーム１１に固定されているが、第２取付孔２２を利用しても差支えない。なお、図４、図５は電気電子機器収納用箱の右側の奥行フレーム１２を示していたのに対し、図７は左側の奥行フレーム１２と奥側の横フレーム１１を示している。このように、同一の機器取付板固定金具であるが、図７の状態で使用する際には左右を入れ替えるものとする。
【００１８】
この図７に示した使用状態においては、背面取付板部１５は後側の縦フレーム１０の前面３０よりも奥側の位置にある。このため図８に示すように背面取付板部１５の前面にナット部１７を利用して機器取付板１４をねじ止めすれば、機器取付板１４は後側の縦フレーム１０の前面３０よりも奥側に位置することとなり、従来は利用できなかった空間の有効利用が可能となる。
【００１９】
以上に説明したように、本発明の機器取付板固定金具を用いれば、機器取付板１４を電気電子機器収納用箱の奥行フレーム１２に沿って前後方向の任意の位置に固定可能であることはもちろん、同一の金具を用いて、機器取付板１４を後側の縦フレーム１０の前面よりも奥側にも取付け、スペースの有効利用を図ることができる利点がある。
【符号の説明】
【００２０】
１  取付板部
２  奥行フレーム
３  固定板部
４  固定金具
５  機器取付板
６  縦フレーム
１０  縦フレーム
１１  横フレーム
１２  奥行フレーム
１３  取付孔列
１４  機器取付板
１５  背面取付板部
１６  中間取付板部
１７  ナット部
１８  ナット部
１９  水平板部
２０  垂直板部
２１  第１取付孔
２２  第２取付孔
２３  ボルト
２４  スライドレール
２５  スライド部材
２６  ボルト
３０  縦フレームの前面
【図１】
2014022393.tif 000003
【図２】
2014022393.tif 000004
【図３】
2014022393.tif 000005
【図４】
2014022393.tif 000006
【図５】
2014022393.tif 000007
【図６】
2014022393.tif 000008
【図７】
2014022393.tif 000009
【図８】
2014022393.tif 000010
【図９】
2014022393.tif 000011